(57)【要約】【課題】液晶ライトバルブを交換した場合にユーザーに対してその後の処理に必要な情報を与えることができるプロジェクタを提供する。【解決手段】液晶ライトバルブ３Ｒ，３Ｇ，３Ｂのいずれかが交換された場合に、交換により取り付けられた液晶ライトバルブを各バルブ毎の識別情報づいて識別するライトバルブ識別手段１２と、液晶ライトバルブの制御に利用する各バルブ毎に固有の所定値をプロジェクタ内へ取り込むデータ送受信回路１１と、ライトバルブ識別手段１２により識別された液晶ライトバルブに関する上記所定値を、データ送受信回路１１を介してプロジェクタ内へ取り込むことをユーザーに促す告知機能と、そのためのダウンロード手段１６を備えたプロジェクタ。【選択図】　　　　図３
2004101652.tif 000002
【特許請求の範囲】
【請求項１】
プロジェクタ内部に記憶されている所定の値に従って制御される少なくとも１つの光変調装置に光を照射して画像を生成し該画像を投写するプロジェクタであって、
前記光変調装置のいずれかが交換された場合に交換により取り付けられた光変調装置を各装置毎の識別情報に基づいて識別する識別手段と、
前記所定の値を前記プロジェクタ内へ取り込むデータ受信回路と、
前記識別手段により識別された光変調装置に関する前記所定の値を、前記データ受信回路を介して前記プロジェクタ内へ取り込むことをユーザーに促す告知機能と、
を備えたことを特徴とするプロジェクタ。
【請求項２】
前記告知機能は前記光変調装置の少なくとも１つを利用した表示によって実行されることを特徴とする請求項１記載のプロジェクタ。
【請求項３】
前記識別手段により識別された光変調装置の識別情報と、前記プロジェクタに既に記憶されている光変調装置の識別情報との比較手段を備え、該比較手段による識別情報の不一致をトリガーとして、前記告知機能を作用させることを特徴とする請求項１又は２記載のプロジェクタ。
【請求項４】
前記所定の値が外部からデータの取り込みが可能な画像供給機器を介して前記プロジェクタに取り込まれることを特徴とする請求項１乃至３のいずれかに記載のプロジェクタ。
【請求項５】
前記所定の値が画像情報にミックスされて前記プロジェクタに取り込まれ、その後抽出されることを特徴とする請求項４記載のプロジェクタ。
【請求項６】
通信回線を介して所定のサーバにアクセスし、該サーバから前記所定の値を前記データ受信回路を介して前記プロジェクタ内へ取り込むダウンロード手段を備えたことを特徴とする請求項１又は２記載のプロジェクタ。
【請求項７】
プロジェクタ内部に記憶されている所定の値に従って制御される少なくとも１つの光変調装置に光を照射して画像を生成し該画像を投写するプロジェクタであって、
前記光変調装置のいずれかが交換された場合に交換により取り付けられた光変調装置を各装置毎の識別情報に基づいて識別する識別手段と、
前記所定の値を前記プロジェクタ内へ取り込むデータ受信回路と、
通信回線を介して所定のサーバにアクセスし、該サーバから前記識別手段により識別された光変調装置に関する前記所定の値を前記データ受信回路を介して前記プロジェクタ内へ取り込むダウンロード手段と、
を備えたことを特徴とするプロジェクタ。
【請求項８】
前記識別手段により識別された光変調装置の識別情報と、前記プロジェクタに既に記憶されている光変調装置の識別情報との比較手段を備え、比較手段による識別情報の不一致をトリガーとして、前記ダウンロード手段を作用させることを特徴とする請求項７記載のプロジェクタ。
【請求項９】
プロジェクタ内部に記憶されている所定の値に従って制御される少なくとも１つの光変調装置に光を照射して画像を生成し該画像を投写するプロジェクタであって、前記光変調装置のいずれかが交換された場合に交換により取り付けられた光変調装置を各装置毎の識別情報に基づいて識別する識別手段を備えたプロジェクタと、
光変調装置に関する前記所定の値を記憶してあるサーバと、
前記識別手段による光変調装置の識別結果に応じて通信回線を介して前記サーバにアクセスし、前記識別手段により識別された光変調装置に関する前記所定の値を該サーバから前記プロジェクタ又は前記プロジェクタと接続された外部機器にダウンロードするダウンロード手段と、
を備えたことを特徴とするプロジェクタシステム。
【請求項１０】
前記プロジェクタ又は前記外部機器にデータのアップロード手段を備え、前記サーバへのアクセス時に、前記プロジェクタ及び／又はユーザーに関する情報が該サーバ側へ送信され、それらの情報が該サーバの側で一元管理されることを特徴とする請求項９記載のプロジェクタシステム。
【請求項１１】
前記サーバがインターネット上にあることを特徴とする請求項９又は１０記載のプロジェクタシステム。
【請求項１２】
プロジェクタ内部に記憶されている所定の値に従って制御される少なくとも１つの光変調装置に光を照射して画像を生成し該画像を投写するプロジェクタであって、
前記光変調装置が交換されたか否かを、当該光変調装置を各装置毎の識別情報に基づいて、識別する識別手段を有することを特徴とするプロジェクタ。
【請求項１３】
前記光変調装置の少なくとも１つが交換されたことが検出された場合に、当該光変調装置の前記所定の値を当該光変調装置から読み出し、前記プロジェクタ内部に記憶されている所定の値とすることを特徴とする請求項１２記載のプロジェクタ。
【請求項１４】
製品を識別するための情報と、製品の固体特性に関する情報とを保持するメモリを備えたことを特徴とする光変調装置。
【請求項１５】
前記光変調装置が、基板間に液晶を封入してなる液晶パネルであることを特徴とする請求項１４記載の光変調装置。
【発明の詳細な説明】
【０００１】
【発明の属する技術分野】
本発明は、投写画像を生成するための光変調装置、光変調装置を用いたプロジェクタ、及びプロジェクタシステムに関する。
【０００２】
【従来の技術】
プロジェクタにおいて、画像生成の中心的役割を果たしているのは、液晶ライトバルブ等からなる光変調装置である。このような光変調装置は、各光変調装置毎に固有の特性を有しており、プロジェクタに組み込まれた各光変調装置は、投写された画像が各光変調装置毎に相違しないように、その特性に応じた所定の値を予め記憶させておき、それに基づいて制御されている（例えば、特許文献１、特許文献２参照）。このため、従来、プロジェクタに組み込まれている光変調装置の故障等による交換は、それらの特性に応じた所定の値に関するデータを備えたメーカーや代理店で行なわれ、その際、新たに交換された各光変調装置毎の所定の値に基づいて、その制御が設定されるようになっていた。
【０００３】
【特許文献１】
特開２０００−２００３７号公報　（第１０欄、段落００４２）
【特許文献２】
特開２００１−２０９３５８号公報　（第９欄、段落００４５）
【０００４】
【発明が解決しようとする課題】
しかしながら、光変調装置の交換のためにプロジェクタをメーカや代理店に送っていると、修理のためのコストや時間が増大しがちである。そのような場合に、ユーザー側において、何らかの手段により交換可能な光変調装置を得、それを故障した光変調装置と交換することができれば、修理に要するコストや時間を削減することが可能となる。
本発明は上記観点に鑑みてなされたもので、光変調装置の交換をユーザー自身で行えるように、光変調装置を交換した場合に、ユーザーに対してその後の処理に必要な情報（特に、光変調装置を制御するために用いる各光変調装置に固有のデータ）を、与えることができるプロジェクタ、プロジェクタシステム、及び光変調装置を提供することを目的とする。
【０００５】
【課題を解決するための手段】
本発明のプロジェクタは、プロジェクタ内部に記憶されている所定の値に従って制御される少なくとも１つの光変調装置に光を照射して画像を生成し該画像を投写するプロジェクタであって、前記光変調装置のいずれかが交換された場合に交換により取り付けられた光変調装置を各装置毎の識別情報に基づいて識別する識別手段と、前記所定の値を前記プロジェクタ内へ取り込むデータ受信回路と、前記識別手段により識別された光変調装置に関する前記所定の値を、前記データ受信回路を介して前記プロジェクタ内へ取り込むことをユーザーに促す告知機能と、を備えたことを特徴とする。これにより、ユーザーは前記所定の値のプロジェクタ内への取り込みの必要性を確認できるので、次の処理へ迅速に進むことができる。
また、前記告知機能は前記光変調装置の少なくとも１つを利用した表示によって実行することを特徴とする。これにより、表示器等を別途備えることなく前記機能が実現できる。
【０００６】
また、前記識別手段により識別された光変調装置の識別情報と、前記プロジェクタに既に記憶されている光変調装置の識別情報との比較手段を備え、該比較手段による識別情報の不一致をトリガーとして、前記告知機能を作用させることを特徴とする。これにより、自動的に告知機能が作用し、処理の一層の迅速化が図れる。
また、前記所定の値が外部からデータの取り込みが可能な画像供給機器を介して前記プロジェクタに取り込まれるようにしたことを特徴とする。これにより、パソコン等から前記所定の値を取り込むことができる。
なお、上記の場合に、前記所定の値が画像情報にミックスされて前記プロジェクタに取り込まれ、その後抽出されるようにしたことを特徴とする。これにより、パソコン等から映像ケーブを利用して、また、チューナー等から前記所定の値を取り込むことができる。取り込める。
さらに、通信回線を介して所定のサーバにアクセスし、該サーバから前記所定の値を前記データ受信回路を介して前記プロジェクタ内へ取り込むダウンロード手段を備えたことを特徴とする。これにより、ユーザーは前記所定の値のプロジェクタ内への取り込みの必要性を確認した後、それをサーバから直接取り込むことができる。
【０００７】
本発明のプロジェクタは、プロジェクタ内部に記憶されている所定の値に従って制御される少なくとも１つの光変調装置に光を照射して画像を生成し該画像を投写するプロジェクタであって、前記光変調装置のいずれかが交換された場合に交換により取り付けられた光変調装置を各装置毎の識別情報に基づいて識別する識別手段と、前記所定の値を前記プロジェクタ内へ取り込むデータ受信回路と、通信回線を介して所定のサーバにアクセスし、該サーバから前記識別手段により識別された光変調装置に関する前記所定の値を前記データ受信回路を介して前記プロジェクタ内へ取り込むダウンロード手段と、を備えたことを特徴とする。これにより、前記所定の値をサーバから直接取り込むことができる。
また、前記識別手段により識別された光変調装置の識別情報と、前記プロジェクタに既に記憶されている光変調装置の識別情報との比較手段を備え、比較手段による識別情報の不一致をトリガーとして、前記ダウンロード手段を作用させることを特徴とする。これにより、自動的にダウンロード手段が作用し、処理の一層の迅速化が図れる。
【０００８】
本発明のプロジェクタシステムは、プロジェクタ内部に記憶されている所定の値に従って制御される少なくとも１つの光変調装置に光を照射して画像を生成し該画像を投写するプロジェクタであって、前記光変調装置のいずれかが交換された場合に交換により取り付けられた光変調装置を各装置毎の識別情報に基づいて識別する識別手段を備えたプロジェクタと、光変調装置に関する前記所定の値を記憶してあるサーバと、前記識別手段による光変調装置の識別結果に応じて通信回線を介して前記サーバにアクセスし、前記識別手段により識別された光変調装置に関する前記所定の値を該サーバから前記プロジェクタ又は前記プロジェクタと接続された外部機器にダウンロードするダウンロード手段と、を備えたことを特徴とする。これにより、ユーザーは、前記所定のデータをプロジェクタ内へ容易に取り込むことができる。
また、前記プロジェクタ又は前記外部機器にデータのアップロード手段を備え、前記サーバへのアクセス時に、前記プロジェクタ及び／又はユーザーに関する情報が該サーバ側へ送信され、それらの情報が該サーバの側で一元管理されることを特徴とする。これにより、サーバの管理者は、顧客情報やプロジェクタ情報を順次更新して管理でき、プロジェクタの販売やメンテナンスに利用することができる。
さらに、前記サーバがインターネット上にあることを特徴とする。これにより、インターネットへの接続が可能等こからでも前記所定の値を取得することが可能となる。
【０００９】
また、本発明のプロジェクタは、プロジェクタ内部に記憶されている所定の値に従って制御される少なくとも１つの光変調装置に光を照射して画像を生成し該画像を投写するプロジェクタであって、前記光変調装置が交換されたか否かを、当該光変調装置を各装置毎の識別情報に基づいて識別する識別手段を有することを特徴とする。これにより、光変調装置の制御に必要な所定の値の更新が必要か否かが判断できる。
この場合において、プロジェクタが、光変調装置の少なくとも１つが交換されたことを検出した場合は、当該光変調装置の前記所定の値を当該光変調装置から読み出し前記プロジェクタ内部に記憶されている所定の値とすることを特徴とする。このように、各光変調装置自体にそれぞれの所定の値を保持させておいてそれを読み出すことで、光変調装置の制御に必要な所定の値を外部から取り込むことなく、更新できる。
【００１０】
本発明の光変調装置、例えば、基板間に液晶を封入してなる液晶パネルが、製品を識別するための情報と、製品の固体特性に関する情報とを保持するメモリを備えることを特徴とする。これを使用するプロジェクタにおいては、制御に必要な所定の値をネットワーク等からダウンロードすることなく、容易に適合するものに更新することができる。
【００１１】
【発明の実施の形態】
図１は本発明の実施形態に係るプロジェクタ１００の概略構成図である。このプロジェクタ１００は、光源ランプ１、ランプ駆動回路２、液晶ライトバルブ３Ｒ，３Ｇ，３Ｂ、光合成プリズム４、投写レンズ５、画像処理回路６、音声処理回路７、スピーカ８、メモリ９、デコーダ１０、データ送受信回路１１、ライトバルブ識別手段１２、ライトバルブ比較手段１３、ユーザーインターフェース回路１４、中央処理制御部１５等からなる。
【００１２】
光源ランプ１は、プロジェクタ１００の照明源であり、例えば水銀高圧ランプ等からなる。ランプ駆動回路２は、ランプ１を駆動するためのもので、ランプ１へ供給する電圧や電流がここで最終的に調整される。
液晶ライトバルブ３Ｒ，３Ｇ，３Ｂはそこに入射した赤、緑、青の各色光を画像情報に応じて変調して画像を生成する光変調装置である。この液晶ライトバルブ３Ｒ，３Ｇ，３Ｂは、製品毎に固有の特性を備えており、それらの特性又は特性に応じた調整のためのデータが予めプロジェクタ内に記憶されて制御に用いられている。この種のデータには、例えば、光透過率（又は光反射率）−印加電圧特性、液晶ライトバルブに所望の階調表現を行わせるγ補正のためのγ補正データ、色むら補正のための色むら補正データ、ＴＦＴ基板側電圧（Ｌｃｃｏｍ）等があり、以下ではこれらを所定の値と称する。
光合成プリズム４は、液晶ライトバルブ３Ｒ，３Ｇ，３Ｂで生成された画像を合成してカラー画像とするものであり、投写レンズ５によりそのカラー画像が投写される。
画像処理回路６は、液晶ライトバルブ３Ｒ，３Ｇ，３Ｂで画像を生成させるために必要な画像信号や制御信号が処理される回路である。また、音声処理回路７は、音声信号を処理しスピーカ８から音声を出力させるための回路である。
【００１３】
メモリ９は、プロジェクタ内に各種の情報を記憶保持しておくためのもので、投写関連データ（画像データ等）や、その他のデータが記憶されている。また、メモリ９は、現在取り付けられている液晶ライトバルブ３Ｒ，３Ｇ，３Ｂの識別情報（例えば製品ＩＤ番号）、それらの液晶ライトバルブを制御するために必要とされる各液晶ライトバルブに固有の上記所定の値も記憶している。さらに、メモリ９には、ユーザーに関る情報（例えば、氏名、住所、電話番号、ｅメールアドレス、ユーザー登録番号、データの受け渡し用あるいは誤動作防止用暗唱番号等）、及び／又は、プロジェクタ１００に関する情報（例えば、プロジェクタ１００のシリアル番号、光源ランプの規格及び積算使用時間、現在取り付けられている液晶ライトバルブの製品ＩＤ番号及び積算使用時間、交換の直前に使用されていた液晶ライトバルブの積算使用時間、偏光板の積算使用時間等）を記憶させておいてもよい。
デコーダ１０は、液晶ライトバルブ３Ｒ，３Ｇ，３Ｂに関する上記所定の値等に関する特殊データが投写関連データにミックスされて受信された場合に、その特殊データを投写関連データから離して抽出するものである。
【００１４】
データ送受信回路１１は、プロジェクタ１００の外部から投写関連データ及びその他のデータを、プロジェクタ内部に取り込むためのインターフェース回路であり、ここから取り込まれた液晶ライトバルブに関する上記所定の値は、メモリ９に送られて記憶される。なお、この部分はデータの受信だけであればデータ受信だけを行う回路でもよいが、ここでは、プロジェクタ１００から外部機器へデータの送信も可能となるように、データ送受信回路１１としている。
【００１５】
ライトバルブ識別手段１２は、プリジェクタ１００に取り付けられている液晶ライトバルブ３Ｒ，３Ｇ，３Ｂを各バルブ毎に識別するためのものである。従って、その目的を達成できるものであればどのようなものでもかまわないが、例えば、予め液晶ライトバルブに固有の識別番号を記憶させておき、プロジェクタ１００の電源がＯＮされた場合に、その記憶された識別番号を読み取りるように設定したプログラムから構成できる。また、予め液晶ライトバルブに固有の識別番号をバーコードにより記載させておき、プロジェクタ１００の電源がＯＮされた場合に、そのバーコードを読み取りに行くように設定したバーコードリーダーから構成してもよい。
ライトバルブ比較手段１３は、ライトバルブ識別手段１２で識別された識別番号と、メモリ９中にある液晶ライトバルブの識別番号との比較を行うためのもので、例えば、メモリ９中にある現在取り付けられている３つ液晶ライトバルブに対応する識別番号を読み出し、それらとライトバルブ識別手段１２で識別された識別番号とを、個々に比較するプログラムから構成される。
なお、上記ライトバルブ識別手段１２とライトバルブ比較手段１３とを１つにまとめ、それをライトバルブ識別手段としてもよい。
【００１６】
ユーザーインターフェース回路１４は、プロジェクタ１００の動作を操作する信号を入力するための回路であり、プロジェクタ１００に取り付けられた操作部又はリモコンからの操作信号が受信される回路である。
中央処理制御部１５は、ここまで説明してきた各ユニット１〜１４を適切に関連付けて所定の動作を実行させるためのものであって、ＣＰＵ及びＲＡＭ等から構成される。また、中央処理制御部１５は、メモリ９に記憶されている液晶ライトバルブ３Ｒ，３Ｇ，３Ｂに関する上記所定の値を基に、各液晶ライトバルブ３Ｒ，３Ｇ，３Ｂを制御している。なお、メモリに記憶されている液晶ライトバルブに関する所定の値を基に、各液晶ライトバルブを制御することに関しては、既に各種の方法が提案されており（例えば、特開２０００−２００３７公報、特開２００１−２０９３５８公報）、それは本発明の主題ではないため、ここではその説明を省略する。
【００１７】
次に、上記プロジェククタ１００に関し、交換により新たに取り付けられた液晶ライトバルブ３Ｒ，３Ｇ、又は３Ｂの制御に必要な上記所定の値のプロジェクタ内への取り込み方法を、図２のフローチャートに沿って説明する。
まず、プロジェクタ１００の電源がＯＮされると（ステップＳ１）、ライトバルブ識別手段１２が作用し、現在取り付けられている液晶ライトバルブ３Ｒ，３Ｇ，３Ｂの製品識別が、それに記憶されている識別情報を読み出して行われる（ステップＳ２）。続いて、比較手段１３が作用し、ライトバルブ識別手段１２で識別された液晶ライトバルブの識別番号とメモリ９内に既に記憶されている液晶ライトバルブの識別番号との比較が行われる（ステップＳ３）。ここで、ライトバルブ識別手段１２で識別された液晶ライトバルブの識別番号が、メモリ９内に既に記憶されているものと一致したと判断された場合には（ステップＳ４）、液晶ライトバルブの交換はなされなかったとして、この処理が終了する。これに対して、ステップＳ４において、識別された液晶ライトバルブの識別番号がメモリ９内に記憶されているものと一致しないと判断された場合には、液晶ライトバルブの交換があったとして、上記所定の値のプロジェクタ１００内への取り込みが必要なことの表示が行われる（ステップＳ５）。この表示は、画像処理回路６、及その時点で取り付けられている液晶ライトバルブ３Ｒ，３Ｇ．３Ｂの少なくとも１つを利用して行うことができる。その表示の一例を挙げれば、新たに交換された液晶ライトバルブのブルーバックに、ライトバルブ識別手段１２で識別され液晶ライトバルブの識別番号と、その液晶ライトバルブに関する上記所定の値をプロジェクタ内に取り込む必要があることを促すメッセージとを表示させることができる。この表示には、さらに、上記所定の値が得られるダウンロードサイトや販売店等を加えてもよい。プロジェクタ１００に、このようなユーザに対する告知機能を備えたことで、ユーザーは、上記所定の値をプロジェクタ１００内に取り込むための必要な処理を迅速に進めることができる。
【００１８】
なお、上記所定の値のメモリ９への取り込み又は更新は、プロジェクタ１００がランプを点灯する前でも後でも可能である。前者の場合は、プロジェクタ本体に備え付けられている各種インジケータにより所定の値を更新中であることを表示するのが望ましい。後者の場合は、スクリーンに所定の値を更新中であることを示すようなメッセージを表示するのが望ましい。
また、上記所定の値のプロジェクタ１００への入力方法は、ここでは特に問わない。例えば、プロジェクタ１００を外部機器であるパソコンにつなげて、そのパソコンに取り込んだ上記所定の値について、プロジェクタ１００をデータ受信モードにしてプロジェクタ内に取り込むことができる。また、パソコンに取り込んだ上記所定の値を、画像データにミックスしてプロジェクタ１００に送り、それの値をデコーダ６により抽出して、メモリ９に記憶することもできる。さらに、プロジェクタ１００がＴＶチューナーを内蔵している場合には、ＴＶ放送送信機器から放送用画像に上記所定の値をミックスして放送してもらい、その放送をＴＶチューナーで受信し、その放送データをデコーダ１０にかけて上記所定の値を抽出し、その抽出された上記所定の値に関するデータを、メモリ９に記憶することもできる。
【００１９】
図３は本発明の実施形態２に係るプロジェクタ１００Ａ及びそのプロジェクタ１００Ａを利用したプロジェクタシステムの概略構成図である。このプロジェクタ１００Ａは、図１のプロジェクタ１００に、データのアップロード／ダウンロードを実行させるアップロード／ダウンロード手段１６を付加したもので、その他の構成は図１と同じである。アップロード／ダウンロード手段１６は、通信回線３００を介して、液晶ライトバルブに関する上記所定の値が多数公開されているメーカ等のサーバ４００にアクセスし、ライトバルブ識別手段１２で識別された識別情報に対応する液晶ライトバルブに関する上記所定の値をメモリ９へダウンロードするものである。アップロード／ダウンロード手段１６は、また、前述したユーザーに関する情報やプロジェクタに関する情報をサーバ４００側へアップロードするためのものである。従って、このアップロード／ダウンロード手段１６は、通常の市販のパソコンが備えているようなアップロード／ダウンロード機能と同様の機能を備えていればよい。
【００２０】
通信回線３００には、公衆回線、専用回線、インターネット等が利用できる。特に、通信回線３００がインターネットで、そのインターネット上にサーバ４００があれば、本システムの利用範囲が大きく広げられる。サーバ４００は通常データベース４０１に接続されており、そのデータベース４０１に各種のデータが保存されている。
【００２１】
次に、図３のシステムにおける液晶ライトバルブ制御のための所定の値取得方法を、図４のフローチャートに従って説明する。図４において、ステップＳ１１〜Ｓ１５は、図２のステップＳ１〜Ｓ５の処理と全く同様に行われる。そして、データの取り込みを促す表示に対応して、ユーザーが上記所定の値のダウンロード要求を行うと（ステップＳ１６）、プロジェクタ１００Ａはアップロード／ダウンロード手段１６により所定のサーバ４００にアクセスし（ステップＳ１７）、そのサーバ４００から対応する上記所定の値のダウンロードを実行して、それらの値をメモリ９に記憶する（ステップＳ１８）。これによって、新たに交換された液晶ライトバルブに関する上記所定の値を、極めて容易にプロジェクタ１００Ａ内に取り込むこと、又は取り込んで更新することができる。なお、上記ステップＳ１５のデータの取り込みを促す告知機能は、比較手段１３により行われた比較の結果による、識別情報の不一致をトリガーとして作用するようにする設定してもよい。また、この告知機能を作用させることなく、識別情報の不一致をトリガーとして、直接ステップＳ１６又はステップＳ１７の処理に進むように設定してもよい。さらに、ステップＳ１５の表示に対しては、インターフェース回路１４を介して、リモコン操作で対応できるように画面表示を行ってもよい。
【００２２】
図５は本発明の実施形態１に係るプロジェクタ１００を利用したプロジェクタシステムの概略構成図である。このシステムの図３のシステムとの相違は、プロジェクタ１００がその内部にアップロード／ダウンロード手段１６を備えておらず、代わりにプロジェクタ１００をアップロード／ダウンロード機能を有したパソコン２００に接続し、そのパソコン２００を介して、所定のサーバとの間でデータの送信又は受信ができるようにした点である。
【００２３】
このシステムの場合、ライトバルブ識別手段１２が液晶ライトバルブの新たな識別情報を識別した時は、データ送受信回路１２を介してパソコン２００に対して対応する上記所定の値のダウンロードを要求する信号を送信することとし、その要求に応じてパソコン２００が所定のサーバ４００からダウンロードさせる。そして、パソコン２００にダウンロードされたそれらの値は、自動的にあるいはパソコン２００の操作により、プロジェクタ１００のメモリ９に内に取り込まれるようにしている。なお、ライトバルブ識別手段１２が新たな識別情報を識別した時、まず、プロジェクタ１００が有する告知機能を作用させ、ユーザーがパソコン２００に対してダウンロードの要求をしたときにのみ、パソコン２００のアップロード／ダウンロード機能を作動させるようにしてもよい。
【００２４】
なお、上記実施形態においては、液晶ライトバルブ３Ｒ，３Ｇ，３Ｂを制御するための所定の値として、光透過率−印加電圧特性（ＶＴ特性）、γ補正データ、色むら補正データ、ＴＦＴ基板側電圧（Ｌｃｃｏｍ）等を例示し、これらの全ての値をダウンロード等により取り込むこととした。しかし、必ずしもこれら全ての値を取り込む必要はなく、使用上、特に必要と考えられる値のみを取り込むようにしてもよい。なお、光透過率−印加電圧特性（ＶＴ特性）は、液晶ライトバルブに透過型液晶パネルを使用した場合であり、反射型液晶パネルを用いた場合には、光反射率−印加電圧特性がそれに対応する。
【００２５】
また、上記実施形態において、液晶ライトバルブに関する上記所定の値をプロジェクタ内へ取り込むことをユーザーに促す告知機能を、現在取り付けられている液晶ライトバルブの少なくとも１つを利用した表示によって実現しているが、その機能を別途設けた表示器又はスピーカ８を利用して実現してもよい。
【００２６】
さらに、図３あるいは図５において、プロジェクタ１００，１００Ａから所定のサーバ４００へのアクセス時に、メモリ９に記憶してある前述したプロジェクタに関する情報、及び／又は、メモリ９に記憶してある前述したユーザーに関する情報をサーバ４００側へ送信し、それらの情報がサーバ４００側で順次更新されて一元管理されるようにすることもできる。こうすることで、サーバ４００の管理者は、顧客情報やプロジェクタ情報の一括管理がアップトッーデートで可能となり、販売、メンテナンス、その他のサービス等に役立てることができる。
【００２７】
なお、上記実施の形態では、液晶ライトバルブを交換する例で説明したが、もちろん偏光板を除いた液晶パネル単体を交換しても良い。光変調装置として反射型液晶表示パネルを用いる場合も、偏光板を除いた状態で交換しても良いし、偏光板とセットで交換しても良い。偏光板がないパネル単体の場合のＶＴと特性、あるいはγ補正データは、偏光板を通常の様に用いた場合の値を用いることが可能である。また、光変調装置として自発光型のもの、例えばＥＬ素子やＬＥＤ素子を用いたものに本発明を適用することも可能である。液晶ライトバルブがメモリを有することが可能な場合は、γ補正データや色むら補正データ等の所定の値の少なくとも一部（望ましくは全部）を当該メモリ内に記憶させれば、当該所定の値をメモリからプロジェクタに読み出し更新することにより、ネットワーク等からデータをダウンロードする必要がない。多結晶ＳｉＴＦＴを用いた液晶パネル（あるいは液晶ライトバルブ）や、ＬＣＯＳと呼ばれるＳｉ基板を用いた反射型液晶パネルでは比較的容易に実現可能である。また、他の方式の光変調素子においても、方式はともかくとして所定の値、あるいは光変調を制御するために必要な他のデータを記憶するメモリを有していれば外部からデータをダウンロードする必要がない。
【図面の簡単な説明】
【図１】本発明の実施形態１に係るプロジェクタの概略構成図。
【図２】図１のプロジェクタにおける液晶ライトバルブ制御のための所定の値取得方法を示すフローチャート。
【図３】本発明の実施形態２に係るプロジェクタ及びそれを利用したプロジェクタシステムの概略構成図。
【図４】図３のシステムにおける液晶ライトバルブ制御のための所定の値取得方法を示すフローチャート。
【図５】本発明の実施形態１に係るプロジェクタを利用したプロジェクタシステムの概略構成図。
【符号の説明】
１…光源ランプ、２…ランプ駆動回路、３Ｒ，３Ｇ，３Ｂ…液晶ライトバルブ、４…光合成プリズム、５…投写レンズ、６…画像処理回路、７…音声処理回路、８…スピーカ、９…メモリ、１０…デコーダ、１１…データ送受信回路、１２…ライトバルブ識別手段、１３…ライトバルブ比較手段、１４…ユーザーインターフェース回路、１４…中央処理制御部、１６…アップロード／ダウンロード手段、１００，１００Ａ…プロジェクタ、２００…パソコン、３００…通信回線、４００…サーバ、４０１…データベース。
【図１】
2004101652.tif 000003
【図２】
2004101652.tif 000004
【図３】
2004101652.tif 000005
【図４】
2004101652.tif 000006
【図５】
2004101652.tif 000007